(57)【要約】  集積回路デバイス（３００）は、電圧制御発振器（ＶＣＯ）（２００）を較正するための同調信号（３１５）を生成するための同調信号回路（３１０）を備える。同調信号回路（３１０）は、較正されているＶＣＯ（２００）の共振タンク回路（２１０）内の少なくとも１つの受動素子（２４０）に亘る目標電圧（Ｖｖｖｃ）（２４５）を表す目標電圧信号（３０２）を受信し、較正されているＶＣＯの少なくとも１つの能動構成要素（２２０）に亘る平均電圧差を表すＶＣＯシミュレーション信号（４１５）を生成するとともに、受信される目標電圧信号（３０２）および生成されるＶＣＯシミュレーション信号（４１５）に少なくとも部分的に基づき、同調信号（３１５）を出力するように構成される。
2013534781.tif 000002
【特許請求の範囲】
【請求項１】
集積回路デバイス（３００）であって、電圧制御発振器（２００）を較正するための同調信号（３１５）を生成するための同調信号回路（３１０）を備え、
前記同調信号回路（３１０）は、
較正されている電圧制御発振器（２００）の共振タンク回路（２１０）内の少なくとも１つの受動素子（２４０）に亘る目標電圧（Ｖｖｖｃ）（２４５）を表す目標電圧信号（３０２）を受信し、
較正されている前記電圧制御発振器の少なくとも１つの能動構成要素（２２０）に亘る平均電圧差を表すＶＣＯシミュレーション信号（４１５）を生成するとともに、
前記受信される目標電圧信号（３０２）と前記生成されるＶＣＯシミュレーション信号（４１５）とに少なくとも部分的に基づき、同調信号（３１５）を出力するように構成される、集積回路デバイス。
【請求項２】
前記同調信号回路（３１０）は、ＶＣＯシミュレーションモジュール（４１０）を備え、
前記ＶＣＯシミュレーションモジュール（４１０）は、較正されている前記電圧制御発振器（２００）の前記少なくとも１つの能動構成要素（２２０）を表す少なくとも１つの能動構成要素（４１２）を備え、
前記ＶＣＯシミュレーションモジュール（４１０）は、前記ＶＣＯシミュレーション信号（４１５）を生成するように構成される、
請求項１に記載の集積回路デバイス（３００）。
【請求項３】
前記ＶＣＯシミュレーションモジュール（４１０）は、前記ＶＣＯシミュレーション信号（４１５）として増幅器構成要素（４１２）に亘る電圧を出力するように構成される、
請求項２に記載の集積回路デバイス（３００）。
【請求項４】
前記ＶＣＯシミュレーションモジュール（４１０）はさらに、前記ＶＣＯシミュレーションモジュール（４１０）の前記増幅器構成要素（４１２）と直列に、動作可能に結合される電流源（４１４）を備える、
請求項３に記載の集積回路デバイス（３００）。
【請求項５】
前記ＶＣＯシミュレーションモジュール（４１０）の前記電流源（４１４）および前記増幅器構成要素（４１２）は、較正されている前記電圧制御発振器（２００）の電流源（２６０）および増幅器構成要素（２２０）を表す、
請求項４に記載の集積回路。
【請求項６】
前記ＶＣＯシミュレーションモジュール（４１０）の前記増幅器構成要素（４１２）は、較正されている前記電圧制御発振器（２００）の前記増幅器構成要素（２２０）の利得のｎ分の１に等しい利得を含む、
請求項４または５に記載の集積回路デバイス（３００）。
【請求項７】
前記ＶＣＯシミュレーションモジュール（４１０）の前記電流源（４１４）は、較正されている前記電圧制御発振器（２００）の前記電流源（２６０）によって供給される電流のｎ分の１に等しい電流を供給するように構成される、
請求項４〜６のうちいずれか一項に記載の集積回路。
【請求項８】
前記目標電圧信号（３０２）は、較正されている前記電圧制御発振器（２００）の前記共振タンク回路（２１０）内の可変キャパシタンス（２４０）に亘る目標電圧（２４５）を表す、
請求項１〜７のうちいずれか一項に記載の集積回路デバイス（３００）。
【請求項９】
前記目標電圧信号（３０２）は、較正されている前記電圧制御発振器（２００）の前記共振タンク回路（２１０）の同調入力（２１２）と較正されている前記電圧制御発振器（２００）の前記共振タンク回路（２１０）の出力（２１４）との間の目標電圧差を表す、
請求項１〜８のうちいずれか一項に記載の集積回路デバイス（３００）。
【請求項１０】
前記同調信号回路（３１０）は、前記同調信号（３１５）として、前記受信される目標電圧信号（３０２）と前記生成されるＶＣＯシミュレーション信号（４１５）との和を出力するように構成される、
請求項１〜９のうちいずれか一項に記載の集積回路デバイス（３００）。
【請求項１１】
電圧制御発振器（ＶＣＯ）を較正するための同調信号を生成するための方法（５００）であって、前記方法は、
較正されている電圧制御発振器の共振タンク回路内の少なくとも１つの受動素子に亘る目標電圧を表す目標電圧信号を受信すること（５２０）と；
較正されている電圧制御発振器の共振タンク回路内の少なくとも１つの受動素子に亘る平均電圧差を表すＶＣＯシミュレーション信号を生成すること（５３０）と；
前記受信される目標電圧信号および前記生成されるＶＣＯシミュレーション信号に少なくとも部分的に基づき、同調信号を出力すること（５５０）と
を有する、方法。
【発明の詳細な説明】
【技術分野】
【０００１】
本発明の分野は、電圧制御発振器を較正するための同調信号を生成するための同調信号回路を備える集積回路デバイス、およびそのための方法に関する。
【背景技術】
【０００２】
電圧制御発振器（ＶＯＣ）は多くの場合、高周波信号を合成するために使用され、多くの場合、位相ロックループ（ＰＬＬ）の一部を形成する。図１は、一般的なＰＬＬ１００の一例を示している。ＰＬＬ１００は、制御電圧信号１０５を受信するとともに、合成周波数信号１１５を出力するように構成されるＶＣＯ１１０を備える。合成周波数信号１１５は、合成周波数信号１１５を受信するとともに、合成周波数信号１１５の周波数のＮ分の１に等しい周波数を含むフィードバック信号１２５を出力するように構成される分数「Ｎ」分周器１２０を備えるフィードバックループに供給される。次いで、フィードバック信号１２５は位相／周波数検出器１３０に供給され、この位相／周波数検出器はフィードバック信号１２５を基準信号１３５と比較して、比較信号１４５を出力する。次いで、比較信号１４５が、例えば、電荷ポンプ１４０に供給され、この電荷ポンプは比較信号１４５を受信してＶＣＯ１１０に供給される制御電圧信号１０５を出力する。制御電圧信号１０５は、ＶＣＯ１１０に供給される前にローパスフィルタ１５０を通過することができる。
【０００３】
多くの場合、ＰＬＬは、特にそのＶＣＯは、例えば或る必要とされる合成周波数信号から別のものに変化するときに、所望の周波数信号を正確に生成することを確実にするために較正される必要がある。ＶＣＯの自動較正のための従来の技法は、一般的に、ＶＣＯ較正ロジック（図示せず）に同調信号を供給することを含み、このＶＣＯ較正ロジックはＰＬＬ内の信号、例えば、ＶＣＯに供給される制御電圧信号を同調信号と比較する。次いで、ＶＣＯ較正ロジックは、比較された信号が受信された同調信号とマッチするように、ＶＣＯを較正する。例えば、このような較正は、ＰＬＬの最初の「粗い」調整を含むことができ、それによって、周波数範囲／サブバンドが、ＰＬＬ１００のフィードバック経路内の分数「Ｎ」分周器１２０を構成することによって選択される。所望の周波数範囲／サブバンドが選択されると、例えば、ＶＣＯ１１０のＬＣ応答タンク内のインダクタンス値および／またはキャパシタンス値を較正することによって、ＶＣＯ１１０の「精細な」較正が実行されることができる。
【先行技術文献】
【特許文献】
【０００４】
【特許文献１】米国特許出願公開第２０１０／００８５１２７号明細書
【発明の概要】
【発明が解決しようとする課題】
【０００５】
従来の較正技法に伴う１つの問題は、較正ロジックに供給される同調信号が一般的に、分圧器などのような外部構成要素によって生成されることである。外部構成要素では、同調信号は、接地に対して向けられる。かくのごとく、このような同調信号は、プロセス、温度、電流消費、振動数などにおける変動によって実質的に（または少なくともごくわずかしか）影響を受けない。しかしながら、ＶＣＯは一般的に、プロセス、温度、電流消費、振動数などにおける変動によってそれほど影響を受けないというわけではない。したがって、このような「信頼性のある」同調電圧信号を使用してＶＣＯを較正する結果として、準最適な周波数範囲／サブバンドが選択されるようにＶＣＯが較正されることになる場合があり、それによって、ＰＬＬに通常動作中にロックしないようにさせるＶＣＯ利得値がもたらされる。
【０００６】
したがって、プロセス、温度、電流消費、振動数などにおける変動に関係なく正確な周波数範囲／サブバンドが取得されることができるように、ＶＣＯ較正が実行されることを可能にすることが必要とされている。
【課題を解決するための手段】
【０００７】
本発明は、添付の特許請求の範囲に記載されているような、電圧制御発振器を較正するための同調信号を生成するための同調信号回路を備える集積回路デバイス、および、電圧制御発振器を較正するための同調信号を生成するための方法を提供する。
【０００８】
本発明の具体的な実施形態は従属請求項に記載されている。
本発明のこれらの態様および他の態様は、以下に記載される実施形態から明らかとなり、それらを参照することによって明瞭になろう。
【０００９】
本発明のさらなる詳細、態様、および実施形態を、例としてのみ、図面を参照して記載する。図面において、同様の参照符号は同様のまたは機能的に類似の要素を特定するために使用される。図面内の要素は簡潔かつ明瞭にするために示されており、必ずしも原寸に比例して描かれてはいない。
【図面の簡単な説明】
【００１０】
【図１】位相ロックループ構成の既知の例を示す図である。
【図２】電圧制御発振器の一例を示す図である。
【図３】同調信号回路を備える集積回路デバイスの一例を示す図である。
【図４】図３の同調信号回路の一例を示す図である。
【図５】同調信号を生成するための方法の簡略フローチャートの一例を示す図である。
【発明を実施するための形態】
【００１１】
本発明の例示されている実施形態は、大部分について、当業者に既知の電子コンポーネントおよび回路を使用して実装され得るため、本発明の基礎となる概念の理解および評価のために、ならびに本発明の教示を分かりにくくせず当該教示から注意を逸らさせないために、詳細は例示されているような必要と考えられる範囲を一切超えては説明されない。
【００１２】
ここで図２を参照すると、電圧制御発振器（ＶＣＯ）２００の一例が示されている。ＶＣＯ２００は、共振タンク回路２１０を備え、タンク回路２１０は、タンク回路２１０の共振周波数において電流を振動させるように構成される。このような共振タンク回路について一般的であるように、図２の共振タンク回路２１０は、誘導素子や容量性素子の形でさまざまな受動素子を備える。単純にするために、図２の共振タンク回路２１０は、可変キャパシタンス２４０と、可変キャパシタンス２４０に並列に、動作可能に結合される誘導素子２５０とを備えるとして示されている。しかしながら、誘導素子や容量性素子の任意の適切な構成が、共振タンク回路２１０内に提供されてもよい。可変キャパシタンス２４０の容量特性は、共振タンク回路２１０の入力２１２に供給される制御電圧（Ｖｔｕｎｅ）２７０を用いて「調整」されることができ、このようにして、タンク回路２１０の共振周波数が制御される。ＶＣＯ２００はさらに、例えば共振タンク回路２１０内で失われたエネルギーを取り戻すために、十分な利得を振動電流に供給するように構成される増幅器構成要素２２０を備える。増幅器構成要素２２０は一般的に、例えばトランジスタ差動対などの形態の能動構成要素を含む。電流源２６０は、増幅器構成要素２２０と直列に、動作可能に結合され、バイアス電流をタンク回路２１０に供給するように構成される。
【００１３】
図２に示されているＶＣＯ２００のようなＶＣＯは多くの場合、高周波信号を合成するために使用され、特に多くの場合、位相ロックループ（ＰＬＬ）の一部を形成する。多くの場合、ＰＬＬは、特にそのＶＣＯは、例えば或る必要とされる合成周波数信号から別のものに変化するときに、所望の周波数信号を正確に生成することを確実にするために較正される必要がある。ＶＣＯの自動較正のための従来の技法は、一般的に、ＶＣＯに同調信号を供給することを含む。較正ロジックは次いで、ＰＬＬ内の信号、例えば、例えばＰＬＬの電荷ポンプによって出力される信号を目標値と比較するとともに、比較される信号が目標値にマッチするように、ＶＣＯおよび／またはＰＬＬを較正できる。例えば、このような較正は、ＰＬＬの最初の「粗い」調整を含むことができ、それによって、周波数範囲／サブバンドが、ＰＬＬのフィードバック経路内のＮ分周器を構成することによって選択される。所望の周波数範囲／サブバンドが選択されると、例えば、ＶＣＯ２００の共振タンク回路２１０内のインダクタンス値および／またはキャパシタンス値を較正することによって、ＶＣＯ２００の「精細な」較正が実行されることができる。例えば、共振タンク回路２１０は、その誘導／容量特性を変化させるための、それによってタンク回路２１０の共振周波数を変化させるための、共振タンク回路２１０に加わって／外れて「スイッチング」されることができる較正インダクタンス／キャパシタンス構成要素（図示せず）を備えることができる。
【００１４】
従来の較正技法に伴う１つの問題は、ＶＣＯに供給される同調信号が一般的に、分圧器などのような受動素子を含む外部構成要素によって生成されることである。ここで、外部構成要素では、同調信号は、接地に向けられる。かくのごとく、このような同調信号は、プロセス、温度、電流消費、振動数などにおける変動によって実質的に（または少なくともごくわずかしか）影響を受けない。しかしながら、図２に示されているように、ＶＣＯは、その増幅器構成要素２２０内に能動素子を備え、それゆえ、プロセス、温度、電流消費、振動数などにおける変動によって大きく影響されるおそれがある。したがって、このような「信頼性のある」同調電圧信号を使用してＶＣＯを較正する結果として、ＶＣＯが、通常動作中に準最適な周波数範囲／サブバンドの同調を含むように較正されることになる場合があり、結果として、ＰＬＬがロックしないようにさせるＶＣＯ利得値がもたらされるおそれがある。
【００１５】
ここで図３を参照すると、図２のＶＣＯ２００のようなＶＣＯを較正するための同調信号３１５を生成するための同調信号回路３１０を備える集積回路デバイス３００の一例が、示されている。示されている例について、ＶＣＯ２００は、ＰＬＬ回路３０５の一部を形成し、したがって、ＶＣＯ２００によって出力される合成周波数信号３２０は、ＰＬＬ回路３０５のフィードバック経路に供給される。フィードバック経路は、分数「Ｎ」分周器３２５を備える。分数「Ｎ」分周器３２５は、合成周波数信号３２０を受信するとともに、合成周波数信号３２０の周波数のＮ分の１に実質的に等しい周波数を含むフィードバック信号３３０を出力するように構成される。次いで、フィードバック信号３３０は位相／周波数検出器３３５に供給され、この位相／周波数検出器はフィードバック信号３３０を基準信号３４０と比較して、比較信号３４５を出力する。次いで、比較信号３４５が電荷ポンプ３５０に供給され、この電荷ポンプは、比較信号３４５を受信し、ローパスフィルタ３６０を介してＶＣＯ２００に供給されることになる制御電圧信号３５５を出力する。示されている例について、スイッチング素子３６５が、ローパスフィルタ３６０とＶＣＯ２００との間に配置され、ＶＣＯ２００の入力を結合するように動作可能であるように構成される。図２に示されている例について、スイッチング素子３６５は、共振タンク回路２１０の入力２１２に配置されることになる。第１の通常ＰＬＬ動作モード（図示せず）において、スイッチング素子３６５は、制御電圧信号３５５をローパスフィルタ３６０からＶＣＯ２００に結合する。スイッチング素子３６５はさらに、図２に示されているように、第２のＰＬＬ／ＶＣＯ較正構成にあるときに、ＶＣＯ２００の入力を、同調信号回路３１０によって生成される同調信号３１５に動作可能に結合するように構成される。
【００１６】
較正ロジック３７０も図３に示されており、較正ロジック３７０は、示されている例については、ＰＬＬ／ＶＣＯの較正中にローパスフィルタ３６０から制御電圧信号３５５を受信するように構成される。較正モード中、較正ロジック３７０は、制御電圧信号３５５を、例えば較正ロジック３７０のレジスタ（図示せず）内に記憶されている目標値と比較し、それに応答して、制御電圧信号３５５が目標値とマッチするように、ＶＣＯ２００および／またはＰＬＬ回路３００を較正する。例えば、このような較正は、ＰＬＬ回路３０５の最初の「粗い」調整を含むことができ、それによって、周波数範囲／サブバンドが、ＰＬＬ回路３０５のフィードバック経路内の分数「Ｎ」分周器３２５を構成することによって選択される。所望の周波数範囲／サブバンドが選択されると、例えば、図２のＶＣＯ２００の共振タンク回路２１０内のインダクタンス値および／またはキャパシタンス値を較正することによって、ＶＣＯ２００の「精細な」較正が実行されることができる。
【００１７】
図３に示されているＰＬＬ回路３０５および較正ロジック３７０は、本明細書において記載されている本発明の概念の理解を助けるために、本発明の一例に従って適合される集積回路デバイスの例示的な実施形態を提供するものとしてのみ意図されている。したがって、図３に示されているＰＬＬ回路３０５および較正ロジック３７０の具体的な実施形態は、本発明の範囲に対する限定であるようには意図されていない。例えば、較正ロジックは代替的に、合成周波数信号３２０を受信して、較正モード中に、合成周波数信号３２０を目標値／信号と比較して、それに応答してＶＣＯ２００および／またはＰＬＬ回路３００を較正するように構成されてもよい。
【００１８】
ここで図４を参照すると、図３の態様と組み合わせて、或る実施形態例によるＶＣＯを較正するための同調信号３１５を生成するための同調信号回路３１０の一例が、示されている。同調信号回路３１０は、較正されることになるＶＣＯ２００の共振タンク回路２１０内の少なくとも１つの受動素子に亘る目標電圧（Ｖｖｖｃ）を表す目標電圧信号３０２を受信するように構成される。同調信号回路３１０はさらに、較正されているＶＣＯ２００の少なくとも１つの能動構成要素２２０に亘る平均電圧差（Ａｖｇ Ｖｔｋｐ）を表すＶＣＯシミュレーション信号４１５を生成するとともに、受信される目標電圧信号３０２および生成されるＶＣＯシミュレーション信号４１５に少なくとも部分的に基づき、同調信号３１５を出力するように構成される。
【００１９】
このようにして、同調信号３１５のＶＣＯシミュレーション信号成分は、プロセス、温度、電流消費、振動数などにおける変動に対するＶＣＯ２００の少なくとも１つの能動構成要素２２０の感度が同調信号３１５に反映されることと、それによって、ＰＬＬ／ＶＣＯの較正中に補償されることとを可能にする。逆に、同調信号３１５の目標電圧信号成分は、ＰＬＬ／ＶＣＯの較正中に使用するための、図２のＶＣＯ２００の共振タンク回路２１０内の少なくとも１つの受動素子に対する構成可能な基準電圧を供給する。基準電圧は、プロセス、温度、電流消費、振動数などにおける変動によって影響されない。したがって、ＰＬＬ／ＶＣＯが構成可能な基準電圧に従って較正されることを可能にする同調信号３１５が生成されることができ、同時に、プロセス、温度、電流消費、振動数などにおける変動も反映されて少なくとも部分的に補償されることができ、そのため、結果としてより正確かつ信頼性のあるＶＣＯ／ＰＬＬの較正が、もたらされる。結果として、ＶＣＯ／ＰＬＬはより正確に較正されることができ、結果として回路のより効率的な動作がもたらされる。較正中の、電流消費の低減、ならびに準最適な周波数範囲／サブバンドが選択される可能性の低減も達成されることができる。
【００２０】
ＰＬＬおよびＶＣＯが、４６０ｍＶの較正後に同調キャパシタンスに亘る目標電圧Ｖｖｖｃを達成するために較正されている従来技術の較正技法に関して、較正後、実際のＶｖｖｃ電圧レベルは、３９１ｍＶ〜５３０ｍＶに及ぶものとして測定されている。同調キャパシタンスに亘る電圧Ｖｖｖｃにおけるこのような変動は、ＰＬＬがロックしないようにするのに、または位相ノイズ性能を許容可能なレベルを超えて劣化させるのに十分であり得る。逆に、本発明の例に従って生成された同調信号を使用した較正によると、Ｖｖｖｃ電圧レベルは較正後４５３ｍＶ〜４７５ｍＶにしか及ばず、従来技術の技法のものよりも著しく正確であった。
【００２１】
このようにＰＬＬ／ＶＣＯの較正中にプロセス中の変動を少なくとも部分的に補償することを可能にすることによって、このようなＰＬＬ／ＶＣＯ回路を備える半導体デバイスに関する歩留まりの著しい向上が、達成される。さらに、上記のようにＰＬＬ／ＶＣＯの較正中にプロセス、温度、電流消費、振動数などにおける変動を少なくとも部分的に補償することを可能にすることによって、位相ノイズを著しく低減することができ、それによって、可能性としてより広い周波数帯域が達成されることが可能になり、これによって必要とされる周波数サブバンドの数を低減し、かつ／またはＰＬＬ回路の較正および動作を単純化することが可能になる。
【００２２】
下記の式１は、図２に示されるＶＣＯ２００の利得に関する式を提供する：
【００２３】
【数１】
2013534781.tif 000003
同様に、下記の式２は、ＶＣＯ２００の振動数に関する式を提供する：
【００２４】
【数２】
2013534781.tif 000004
式２に示されているように、ＶＣＯ２００の利得Ｋｖｃｏおよび振動数Ｆｏｓｃの両方が同調キャパシタンス２４０に亘って、例えば、タンク回路２１０の同調入力２１２と共振タンク回路２１０の出力２１４との間の電圧Ｖｖｖｃ２４５によって直接的に影響される。同調キャパシタンス２４０が純粋に受動構成要素であるため、同調キャパシタンス２４０に亘る電圧Ｖｖｖｃ２４５は、プロセス、温度、電流消費、振動数などにおける変動における変動によって影響されない。
【００２５】
【数３】
2013534781.tif 000005
上記の式３は、同調キャパシタンス２４０に亘る電圧Ｖｖｖｃ２４５の、共振タンク回路２１０の入力２１２に供給される制御電圧（Ｖｔｕｎｅ）２７０および共振タンク回路２１０の出力２１４における電圧（Ｖｔｋｐ）との関係を示している。したがって制御電圧（Ｖｔｕｎｅ）２７０は、同調キャパシタンス２４０に亘る電圧Ｖｖｖｃ２４５と、共振タンク回路２１０の出力２１４における平均電圧（Ｖｔｋｐ）との和として定義されることができる。図２に示されているように、共振タンク回路２１０の出力２１４における電圧（Ｖｔｋｐ）は、事実上、ＶＣＯ２２０の増幅器構成要素２２０に亘る電圧である。したがって図２に示されている例について、制御電圧（Ｖｔｕｎｅ）２７０は、ＶＣＯ２００に印加されると、ＶＣＯの共振タンク回路２１０の一部に亘る「受動」電圧成分と、ＶＣＯの増幅器構成要素２２０に亘る「能動」電圧成分とに分割される。
【００２６】
図４に戻って参照すると、同調信号回路（例えば図３の同調信号回路３１０）は、ＶＣＯ２００の能動構成要素を表す少なくとも１つの能動構成要素を備えるとともに、ＶＣＯシミュレーション信号４１５を生成するように構成されるＶＣＯシミュレーションモジュール４１０を備える。示されている例について、ＶＣＯシミュレーションモジュール４１０は、図２のＶＣＯ２００の増幅器構成要素２２０を表す増幅器構成要素４１２を備え、ＶＣＯシミュレーション信号４１５として増幅器構成要素４１２に亘る電圧を出力するように構成される。図４のＶＣＯシミュレーションモジュール４１０はさらに、ＶＣＯシミュレーションモジュール４１０の増幅器構成要素４１２と直列に、動作可能に結合される電流源４１４を備える。シミュレーションモジュール４１０の電流源４１４および増幅器構成要素４１２は、図２のＶＣＯ２００の電流源２６０および増幅器構成要素２２０を表す。したがって、増幅器構成要素４１２に亘る電圧は、ＶＣＯの増幅器構成要素２２０に亘る電圧を表す。重要なことには、シミュレーションモジュール４１０の電流源４１４および増幅器構成要素４１２が図２のＶＣＯ２００の電流源２６０および増幅器構成要素２２０を表すため、それらは、ＶＣＯ２００の電流源２６０および増幅器構成要素２２０と同様に、プロセス、温度、電流消費、振動数などにおける変動によって影響される。したがってこのような変動は、ＶＣＯシミュレーション信号４１５に反映される。
【００２７】
或る例によれば、図４に示されているように、ＶＣＯシミュレーションモジュール４１０の増幅器構成要素４１２は、図２のＶＣＯ２００の増幅器構成要素２２０の利得のｎ分の１に実質的に等しい利得を含むことができ、ＶＣＯシミュレーションモジュール４１０の電流源４１４は、ＶＣＯ２００の電流源２６０によって供給される電流のｎ分の１に実質的に等しい電流を供給することができる。このようにして、ＶＣＯの増幅器構成要素２２０に亘る電圧を表すものとしての増幅器構成要素４１２に亘る電圧を維持しながら、ＶＣＯシミュレーションモジュール４１０の電流消費は、低減される。
【００２８】
示されている例について、受信される目標電圧信号３０２は、図２のＶＣＯ２００の共振タンク回路２１０内の可変キャパシタンス２４０に亘る目標電圧２４５を表すことができる。さらに、示されている例の同調信号回路３１０は、同調信号３１５として、受信される目標電圧信号３０２と生成されるＶＣＯシミュレーション信号４１５との和を出力するように構成されることができる。したがって同調信号３１５は、ＶＣＯ２００の共振タンク回路２１０に亘る目標「受動」電圧を表す第１の成分と、ＶＣＯ２００の増幅器構成要素２２０に亘る「能動」電圧を表す第２の電圧成分とを含むものとみなされることができる。したがって図４に示されている例について、電流源４１４および増幅器構成要素４１２を、ＶＣＯ２００の電流源２６０および増幅器構成要素２２０を表すように構成することによって、ＶＣＯ２００の受動構成要素に亘る目標電圧レベルを含むように構成されることができる「受動」成分とともに、図２のＶＣＯ２００の能動構成要素に亘る電圧を正確に反映する「能動」成分を含む同調信号３１５は、生成される。
【００２９】
ここで図５を参照すると、電圧制御発振器（ＶＣＯ）を較正するための同調信号を生成するための方法の簡略フローチャート５００の一例が示されている。方法は、ステップ５１０において開始し、ステップ５２０に進み、較正されているＶＣＯの共振タンク回路内の少なくとも１つの受動素子に亘る目標電圧を表す目標電圧信号が受信される。次に、ステップ５３０において、較正されているＶＣＯの共振タンク回路内の少なくとも１つの受動素子に亘る平均電圧差を表すＶＣＯシミュレーション信号が生成される。次いで、ステップ５４０において、受信された目標電圧信号と生成されたＶＣＯシミュレーション信号との和が、生成される。受信された目標電圧信号と生成されたＶＣＯシミュレーション信号との和である同調信号が、ステップ５５０において出力される。方法はその後、ステップ５６０において終了する。
【００３０】
上記の明細書において、本発明は、本発明の実施形態の具体例を参照して説明された。しかしながら、添付の特許請求の範囲に記載されている本発明のより広い主旨および範囲から逸脱することなく、そこにさまざまな修正および変更を行うことができることは明らかであろう。
【００３１】
本明細書において説明されている接続は、例えば介在するデバイスを介してそれぞれのノード、ユニットまたデバイスから、またはそれらへと信号を転送するのに適切な任意のタイプの接続であることができる。したがって別途暗示または提示されていない限り、接続は例えば直接接続であってもよいし、間接接続であってもよい。接続は、単一の接続、複数の接続、一方向性接続、または双方向性接続であることに関連して例示または記載され得る。しかしながら、実施形態が異なれば、接続の実施態様は変化してもよい。例えば、双方向性接続ではなく別個の一方向性接続が使用されてもよく、その逆であってもよい。さらに、複数の接続は、連続してまたは時分割多重方式で複数の信号を伝送する単一の接続と置き換わってもよい。同様に、複数の信号を搬送する単一の接続は、これらの信号のサブセットを搬送するさまざまな異なる接続に分離されてもよい。それゆえ、信号の伝送には多くの選択肢が存在する。
【００３２】
論理ブロック間の境界が例示にすぎないこと、および、代替的な実施形態が論理ブロックもしくは回路要素を融合し、またはさまざまな論理ブロックもしくは回路に対する代替的な機能の分解を課してもよいことを、当業者は認識しよう。したがって、本明細書において描写したアーキテクチャが例示にすぎないこと、および、事実として、同じ機能を達成する多くの他のアーキテクチャを実装できることを理解されたい。例えば、図３に示されている例において、較正信号回路３１０は、明瞭にするために構成ロジック３７０とは別個のものとして示されている。しかしながら、本発明の或る実施形態例に従って適合される較正信号回路は代替的に、図３の示されている構成ロジック３７０のような構成回路の一体部分を形成してもよいことが認識されよう。
【００３３】
同じ機能を達成するための構成要素の任意の構成は、所望の機能が達成されるように効果的に「関連付けられる」。したがって、本明細書における、特定の機能を達成するために結合される任意の２つの構成要素が互いに「関連付けられる」とみなすことができ、それによって、アーキテクチャまたは中間の構成要素にかかわりなく、所望の機能が達成される。同様に、そのように関連付けられる任意の２つの構成要素も、所望の機能を達成するために互いに「動作可能に接続されている」または「動作可能に結合されている」とみなすことができる。
【００３４】
さらに、上述の動作間の境界が例示にすぎないことを、当業者は認識しよう。複数の動作を単一の動作に組み合わせ、単一の動作を追加の動作に分散させ、複数の動作を少なくとも部分的に時間的に重ね合わせて実行することができる。その上、代替的な実施形態は、特定の動作の複数のインスタンスを含んでもよく、動作の順序はさまざまな他の実施形態においては変更してもよい。
【００３５】
さらに例えば、１つの実施形態では、示されている例は、図３に示されているように、単一の集積回路上または同じデバイス内に位置する回路として実装されうる。代替的には、実施例は、適切な様式で互いに相互接続される任意の数の別個の集積回路または別個のデバイスとして、実装されてもよい。例えば図３の較正信号回路３１０は、代替的に、ＶＣＯ２００および／または構成ロジック３７０とは別個の集積回路デバイス上に実装されてもよい。
【００３６】
しかしながら、他の修正形態、変更形態および代替形態も可能である。したがって、明細書および図面は限定的な意味においてではなく例示的に考慮されるべきである。
特許請求の範囲において、括弧間に置かれた任意の参照符号は、特許請求の範囲を限定するものとして解釈されるべきではない。「備える（ｃｏｍｐｒｉｓｉｎｇ）」という文言は、特許請求項内にリストされているもの以外の要素またはステップの存在を除外するものではない。さらに本明細書において使用される場合、「１つ（“ａ”ｏｒ“ａｎ”）」という用語は、１つまたは２つ以上として定義される。さらに、特許請求の範囲における「少なくとも１つの」および「１つまたは複数の」のような前置きの語句の使用は、不定冠詞「１つの（"ａ"ｏｒ"ａｎ"）」による別の請求項要素の導入が、このように導入された請求項要素を含む任意の特定の請求項を、たとえ同じ請求項が前置きの語句「１つまたは複数の」または「少なくとも１つの」および「１つの（"ａ"ｏｒ"ａｎ"）」のような不定冠詞を含む場合であっても、１つだけのこのような要素を含む発明に限定することを暗示するように解釈されるべきではない。同じことが、定冠詞の使用についても当てはまる。別途記載されない限り、「第１の」および「第２の」のような用語は、そのような用語が説明する要素間で適宜区別するように使用される。したがって、これらの用語は必ずしも、このような要素の時間的なまたは他の優先順位付けを示すようには意図されていない。特定の手段が相互に異なる特許請求項において記載されているというだけの事実は、これらの手段の組み合わせを有利に使用することができないということを示すものではない。
【図１】
2013534781.tif 000006
【図２】
2013534781.tif 000007
【図３】
2013534781.tif 000008
【図４】
2013534781.tif 000009
【図５】
2013534781.tif 000010
【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
集積回路デバイス（３００）であって、電圧制御発振器（２００）を較正するための同調信号（３１５）を生成するための同調信号回路（３１０）を備え、
前記同調信号回路（３１０）は、
較正されている電圧制御発振器（２００）の共振タンク回路（２１０）内の少なくとも１つの受動素子（２４０）に亘る目標電圧（Ｖｖｖｃ）（２４５）を表す目標電圧信号（３０２）を受信し、
較正されている前記電圧制御発振器の少なくとも１つの能動構成要素（２２０）に亘る平均電圧差を表すＶＣＯシミュレーション信号（４１５）を生成するとともに、
前記受信される目標電圧信号（３０２）と前記生成されるＶＣＯシミュレーション信号（４１５）とに少なくとも部分的に基づき、同調信号（３１５）を出力するように構成される、集積回路デバイス。
【請求項２】
前記同調信号回路（３１０）は、ＶＣＯシミュレーションモジュール（４１０）を備え、
前記ＶＣＯシミュレーションモジュール（４１０）は、較正されている前記電圧制御発振器（２００）の前記少なくとも１つの能動構成要素（２２０）を表す少なくとも１つの能動構成要素（４１２）を備え、
前記ＶＣＯシミュレーションモジュール（４１０）は、前記ＶＣＯシミュレーション信号（４１５）を生成するように構成される、
請求項１に記載の集積回路デバイス（３００）。
【請求項３】
前記ＶＣＯシミュレーションモジュール（４１０）は、前記ＶＣＯシミュレーション信号（４１５）として増幅器構成要素（４１２）に亘る電圧を出力するように構成される、
請求項２に記載の集積回路デバイス（３００）。
【請求項４】
前記ＶＣＯシミュレーションモジュール（４１０）はさらに、前記ＶＣＯシミュレーションモジュール（４１０）の前記増幅器構成要素（４１２）と直列に、動作可能に結合される電流源（４１４）を備える、
請求項３に記載の集積回路デバイス（３００）。
【請求項５】
前記ＶＣＯシミュレーションモジュール（４１０）の前記電流源（４１４）および前記増幅器構成要素（４１２）は、較正されている前記電圧制御発振器（２００）の電流源（２６０）および増幅器構成要素（２２０）を表す、
請求項４に記載の集積回路。
【請求項６】
前記ＶＣＯシミュレーションモジュール（４１０）の前記増幅器構成要素（４１２）は、較正されている前記電圧制御発振器（２００）の前記増幅器構成要素（２２０）の利得のｎ分の１に等しい利得を含む、
請求項４または５に記載の集積回路デバイス（３００）。
【国際調査報告】
2013534781.tif 000011
2013534781.tif 000012
2013534781.tif 000013